(57)【要約】  本技術の一形態に係る記録媒体カートリッジは、情報記録媒体と、第１のカートリッジメモリと、第２のカートリッジメモリとを具備する。前記第１のカートリッジメモリは、前記情報記録媒体に関連する第１の情報を格納することが可能であり、ドライブ装置に設置された第１の通信機器を介して前記第１の情報の読み出し及び書き込みが可能な非接触通信媒体で構成される。前記第２のカートリッジメモリは、前記情報記録媒体に関連する第２の情報を格納することが可能であり、第２の通信機器を介して前記第２の情報の読み出しが可能に構成される。【選択図】図１
2019216015.tif 000002
【特許請求の範囲】
【請求項１】
情報記録媒体と、
前記情報記録媒体に関連する第１の情報を格納することが可能であり、ドライブ装置に設置された第１の通信機器を介して前記第１の情報の読み出し及び書き込みが可能な非接触通信媒体で構成された第１のカートリッジメモリと、
前記情報記録媒体に関連する第２の情報を格納することが可能であり、第２の通信機器を介して前記第２の情報の読み出しが可能に構成された第２のカートリッジメモリと
を具備する記録媒体カートリッジ。
【請求項２】
請求項１に記載の記録媒体カートリッジであって、
前記第２のカートリッジメモリは、前記ドライブ装置を介して前記第２の情報の書き込みが可能に構成される
記録媒体カートリッジ。
【請求項３】
請求項１に記載の記録媒体カートリッジであって、
前記第２のカートリッジメモリは、前記第１のカートリッジメモリのメモリ容量よりも大きなメモリ容量を有する
記録媒体カートリッジ。
【請求項４】
請求項１に記載の記録媒体カートリッジであって、
前記第１の情報は、前記情報記録媒体の管理情報を含み、
前記第２の情報は、前記情報記録媒体に関連する画像情報を含む
記録媒体カートリッジ。
【請求項５】
請求項１に記載の記録媒体カートリッジであって、
前記第２のカートリッジメモリは、非接触通信媒体である
記録媒体カートリッジ。
【請求項６】
請求項１に記載の記録媒体カートリッジであって、
前記第２のカートリッジメモリは、外部接続端子を有する
記録媒体カートリッジ。
【請求項７】
請求項１に記載の記録媒体カートリッジであって、
前記情報記録媒体は、磁気記録媒体である
記録媒体カートリッジ。
【請求項８】
請求項７に記載の記録媒体カートリッジであって、
前記情報記録媒体は、テープ状記録媒体である
記録媒体カートリッジ。
【請求項９】
記録媒体カートリッジに収容された情報記録媒体に対してデータの記録又は再生を行うことが可能に構成されたヘッド部と、
前記記録媒体カートリッジに収容された第１のカートリッジメモリと通信可能に構成され、前記情報記録媒体に関連する第１の情報の読み出し又は書き込みが可能な第１の通信部と、
前記記録媒体カートリッジに収容された第２のカートリッジメモリと通信可能に構成され、前記情報記録媒体に関連する第２の情報の読み出し又は書き込みが可能な第２の通信部と
を具備するドライブ装置。
【発明の詳細な説明】
【技術分野】
【０００１】
本技術は、情報記録媒体の管理情報を格納するカートリッジメモリを備えた記録媒体カートリッジ及びこれを駆動するドライブ装置に関する。
【背景技術】
【０００２】
近年、電子データのバックアップなどの用途で磁気記録媒体が広く利用されている。磁気記録媒体の一つとして、例えば磁気テープカートリッジは、大容量・長期保存が可能なことから、ビッグデータ等の蓄積媒体としてますます注目が集まっている。【０００３】
例えば、ＬＴＯ（Linear Tape Open）規格の磁気テープカートリッジは、カートリッジメモリと呼ばれるＲＦＩＤ（Radio Frequency Identification）タグを搭載している（例えば特許文献１参照）。カートリッジメモリは、テープドライブ（リーダライタ）から送信される信号磁界を受信して電力を生成するため、無電源でリーダライタとの通信が可能である。カートリッジメモリは、アンテナと通信・記録用のＩＣチップを含み、カートリッジや磁気テープの生産管理情報や使用履歴、記録内容の概要などを読み書きすることが可能に構成されている。
【先行技術文献】
【特許文献】
【０００４】
【特許文献１】特開２００９−２１１７４３号公報
【発明の概要】
【発明が解決しようとする課題】
【０００５】
この種の磁気記録媒体は、世代（Generation）ごとにデータトラック数（トラック密度）が増加し、その結果、必要とされるカートリッジメモリの容量も増加している。しかしながら、カートリッジメモリのメモリサイズが大型化すると、カートリッジメモリの消費電力も増加する。この種のカートリッジメモリは、一定の磁界強度で動作することが要求されているため、アンテナから取り出せる電力には制限がある。このため、アンテナから取り出せる電力でカートリッジメモリを駆動してリーダライタとの安定した通信を確保しつつ、メモリサイズの大容量化を図る技術が求められている。【０００６】
以上のような事情に鑑み、本技術の目的は、リーダライタとの安定した通信を確保しつつ、カートリッジメモリの容量の増加を実現することができる記録媒体カートリッジ及びドライブ装置を提供することにある。
【課題を解決するための手段】
【０００７】
本技術の一形態に係る記録媒体カートリッジは、情報記録媒体と、第１のカートリッジメモリと、第２のカートリッジメモリとを具備する。
前記第１のカートリッジメモリは、前記情報記録媒体に関連する第１の情報を格納することが可能であり、ドライブ装置に設置された第１の通信機器を介して前記第１の情報の読み出し及び書き込みが可能な非接触通信媒体で構成される。
前記第２のカートリッジメモリは、前記情報記録媒体に関連する第２の情報を格納することが可能であり、第２の通信機器を介して前記第２の情報の読み出しが可能に構成される。【０００８】
上記記録媒体カートリッジにおいては、第１のカートリッジメモリと第２のカートリッジメモリとを備えているため、カートリッジメモリの総容量を増加させることができる。しかも、第１のカートリッジメモリのメモリサイズを大型化する必要がないため、リーダライタからの限られた磁界強度下においても、第１のカートリッジメモリと第１の通信機器との安定した通信が確保される。さらに第２のカートリッジメモリは、第１の通信機器とは異なる第２の通信機器によって情報の読み出しが可能に構成されているため、ドライブ装置へ装填することなく、テープカートリッジに関連する情報を読み出すことができる。【０００９】
前記第２のカートリッジメモリは、前記ドライブ装置を介して前記第２の情報の書き込みが可能に構成されてもよい。【００１０】
前記第２のカートリッジメモリは、前記第１のカートリッジメモリのメモリ容量よりも大きなメモリ容量を有してもよい。【００１１】
前記第１の情報は、前記情報記録媒体の管理情報を含み、前記第２の情報は、前記情報記録媒体に関連する画像情報を含んでもよい。【００１２】
前記第２のカートリッジメモリは、非接触通信媒体であってもよい。【００１３】
前記第２のカートリッジメモリは、外部接続端子を有してもよい。【００１４】
前記情報記録媒体は、磁気記録媒体であってもよい。【００１５】
前記情報記録媒体は、テープ状記録媒体であってもよい。【００１６】
本技術の一形態に係るドライブ装置は、ヘッド部と、第１の通信部と、第２の通信部とを具備する。
前記ヘッド部は、記録媒体カートリッジに収容された情報記録媒体に対してデータの記録又は再生を行うことが可能に構成される。
前記第１の通信部は、前記記録媒体カートリッジに収容された第１のカートリッジメモリと通信可能に構成され、前記情報記録媒体に関連する第１の情報の読み出し又は書き込みが可能に構成される。
前記第２の通信部は、前記記録媒体カートリッジに収容された第２のカートリッジメモリと通信可能に構成され、前記情報記録媒体に関連する第２の情報の読み出し又は書き込みが可能に構成される。
【発明の効果】
【００１７】
以上のように、本技術によれば、リーダライタとの安定した通信を確保しつつ、カートリッジメモリの容量の増加を実現することができる。
なお、ここに記載された効果は必ずしも限定されるものではなく、本開示中に記載されたいずれかの効果であってもよい。
【図面の簡単な説明】
【００１８】
【図１】本技術の一実施形態に係る記録媒体カートリッジを示す分解斜視図である。
【図２】上記記録媒体カートリッジに適用されるドライブ装置の一構成例を示す概略図である。
【図３】本技術の一実施形態に係る第１のカートリッジメモリを示す概略平面図である。
【図４】本技術の一実施形態に係る第２のカートリッジメモリを示す概略平面図である。
【図５】上記記録媒体カートリッジの一作用を説明する図である。
【図６】本技術の一実施形態に係るドライブ装置の一構成例を示す概略図である。
【図７】上記ドライブ装置の作用を説明するシーケンス図である。
【発明を実施するための形態】
【００１９】
以下、本技術に係る実施形態を、図面を参照しながら説明する。
【００２０】
図１は本技術の一実施形態に係る磁気テープカートリッジを示す分解斜視図、図２はテープドライブ装置の概略斜視図である。本実施形態では、記録媒体カートリッジとして、図１に示すＬＴＯ規格の磁気テープカートリッジ（以下、テープカートリッジ１００という）を例に挙げて説明する。以下、テープカートリッジ１００及び図２に示すテープドライブ装置２００の構成について概略的に説明する。
【００２１】
［テープカートリッジ］
図１に示すように、テープカートリッジ１００は、上シェル１１ａと下シェル１１ｂとを複数本のネジ部材により結合することで構成されたカートリッジケース１１を有する。カートリッジケース１１の内部には、磁気記録媒体としての磁気テープ１２（テープ状記録媒体）を巻装した単一のテープリール１３が回転可能に収容されている。本実施形態では、磁気テープ１２として、データトラック数が例えば６０００以上の磁気テープが用いられる。
【００２２】
テープリール１３の底部中央には、テープドライブ装置２００のスピンドル２０１（図２参照）と係合するチャッキングギヤ（図示略）が環状に形成されており、当該チャッキングギヤは、下シェル１１ｂの中央に形成された開口部１４を介して外部へ露出している。このチャッキングギヤの内周側には、スピンドル２０１と磁気的に吸着される環状の金属プレート１５が固定されている。
【００２３】
上シェル１１ａの内面とテープリール１３との間には、リールスプリング１６、リールロック部材１７及びスパイダ１８が配置されている。これらにより、テープカートリッジ１００の非使用時におけるテープリール１３の回転を抑止するリールロック機構が構成される。
【００２４】
カートリッジケース１１の一側壁部には、磁気テープ１２の一端を外部へ引き出すためのテープ引出し口１９が設けられている。当該側壁部の内方には、テープ引出し口１９を開閉するスライドドア２０が配置されている。スライドドア２０は、テープドライブ装置２００のテープローディング機構（図示略）との係合によりトーションバネ２１の付勢力に抗してテープ引出し口１９を開放する方向にスライドするように構成される。
【００２５】
磁気テープ１２の一端部には、リーダーピン２２が固着されている。リーダーピン２２は、テープ引出し口１９の内方側に設けられたピン保持部２３に対して着脱可能に構成される。ピン保持部２３は、カートリッジケース１１の上壁内面（上シェル１１ａの内面）及び底壁内面（下シェル１１ｂの内面）において、リーダーピン２２の上端部及び下端部をそれぞれ弾性的に保持する弾性保持具２４を備えている。
【００２６】
そして、カートリッジケース２１の他の側壁内方には、磁気テープ１２に記録された情報の誤消去防止用のセイフティタブ２５のほか、磁気テープ１２に記録された情報に関する内容を非接触で読み書き可能な第１のカートリッジメモリＣＭ１及び第２のカートリッジメモリＣＭ２が配置されている。本実施形態において第１及び第２のカートリッジメモリＣＭ１、ＣＭ２は、基板上にアンテナコイル、ＩＣチップ等が搭載された非接触通信媒体で構成される。
【００２７】
［テープドライブ装置］
図２に示すように、テープドライブ装置２００は、テープカートリッジ１００を装填可能に構成されている。テープドライブ装置２００は、１つのテープカートリッジ１００を装填可能に構成されるが、複数のテープカートリッジ１００を同時に装填可能に構成されてもよい。
【００２８】
テープドライブ装置２００は、スピンドル２０１、巻取りリール２０２、スピンドル駆動装置２０３、リール駆動装置２０４、複数のガイドローラ２０５、ヘッドユニット２０６、第１の通信機器としてのリーダライタ（Reader/Writer）２０７、制御装置２０８等を含む。
【００２９】
スピンドル２０１は、テープカートリッジ１００の下シェル１１ｂに形成された開口部１４を介してテープリール１３のチャッキングギヤに係合するヘッド部を有する。スピンドル２０１は、リールスプリング１６の付勢力に抗してテープリール１３を所定距離上昇させ、リールロック部材１７によるリールロック機能を解除する。これによりテープリール１３は、スピンドル２０１によりカートリッジケース１１の内部において回転可能に支持される。
【００３０】
スピンドル駆動装置２０３は、制御装置２０８からの指令に応じて、スピンドル２０１を回転させる。巻取りリール２０２は、図示しないテープローディング機構を介してテープカートリッジ１００から引き出された磁気テープ１２の先端（リーダーピン２２）を固定可能に構成される。複数のガイドローラ２０５は、テープカートリッジ１００と巻取りリール２０２との間に形成されるテープパスがヘッドユニット２０６に対して所定の相対位置関係となるように磁気テープ１２の走行をガイドする。リール駆動装置２０４は、制御装置２０８からの指令に応じて、巻取りリール２０２を回転させる。磁気テープ１２に対してデータ信号の記録／再生が行われるとき、スピンドル駆動装置２０３及びリール駆動装置２０４により、スピンドル２０１及び巻取りリール２０２が回転し、磁気テープ１２が走行する。
【００３１】
ヘッドユニット２０６は、制御装置２０８からの指令に応じて、磁気テープ１２に対してデータ信号を記録し、あるいは、磁気テープ１２に書き込まれたデータ信号を再生することが可能に構成される。
【００３２】
リーダライタ２０７（第１の通信部）は、制御装置２０８からの指令に応じて、テープカートリッジ１００に搭載された第１のカートリッジメモリＣＭ１から所定の管理情報を読み出し、あるいは、第１のカートリッジメモリＣＭ１に対して所定の管理情報を記録することが可能に構成される。リーダライタ２０７と第１のカートリッジメモリＣＭ１との間の通信方式としては、例えば、ＩＳＯ１４４４３方式が採用される。
【００３３】
制御装置２０８は、例えば、ＣＰＵ（Central Processing Unit）、記憶部、通信部等を含むコンピュータで構成され、テープドライブ装置２００の各部を統括的に制御する。
【００３４】
［カートリッジメモリ］
続いて、第１のカートリッジメモリＣＭ１及び第２のカートリッジメモリＣＭ２の詳細について説明する。
【００３５】
（第１のカートリッジメモリ）
図３は、第１のカートリッジメモリＣＭ１の構成を示す概略平面図である。第１のカートリッジメモリＣＭ１は、支持基板３１と、アンテナコイル３２と、ＩＣチップ３３とを含むＲＦＩＤタグで構成される。
【００３６】
支持基板３１は、ガラスエポキシ基板等の比較的リジッドな配線基板で構成される。アンテナコイル３２は、支持基板３１に形成された平面ループコイルであり、所定厚みの銅箔、アルミニウム箔等で構成される。ＩＣチップ３３は、支持基板３１上に実装され、アンテナコイル３２と電気的に接続される。ＩＣチップ３３は、アンテナコイル３２を介して受信したリーダライタ２０７からの信号磁界を基に起動電圧を生成する電圧発生部、テープカートリッジ１００に関する所定の管理情報（第１の情報）を記憶するメモリ部、メモリ部から情報を読み出す制御部などを内蔵する。
【００３７】
管理情報としては、テープカートリッジ１００及び磁気テープ１２の製品情報、使用履歴情報、磁気テープ１２に記録されている情報の概要など、ユーザが任意に設定することができない情報（あるいはデータ）が挙げられる。
製品情報には、製造情報、磁気テープ１２のデータトラック数、ＩＤ等の固有情報が含まれる。製造情報には、例えば、磁気テープ１２を構成するベースフィルムの材質（例えば、ポリエチレンテレフタレート（ＰＥＴ））、その熱膨張係数（例えば、１５Ｅ−６ｍｍ／ｍｍ／℃）および湿度膨張係数（例えば、１２Ｅ−６ｍｍ／ｍｍ／ＲＨ％）などが含まれる。
使用履歴情報としては、アクセス日時、アドレス情報、リーダライタ２０７との通信履歴、テープドライブ装置２００に対するローディング／アンローディング時の異常の有無等が含まれる。
磁気テープ１２に記録されている情報の概要としては、初回の信号記録時のサーボトラッキング情報が含まれてもよい。サーボトラッキング情報には、例えば、あるサーボバンド間の標準値からのズレ、つまり、初回にトラッキングした際のヘッド機構（ヘッドユニット２０６）が読み込んだサーボバンド間距離の標準値からの差分情報が含まれる。あるいは、サーボトラッキング情報には、初回にトラッキングした際のサーボバンドの位置情報が含まれてもよい。
【００３８】
第１のカートリッジメモリＣＭ１は、リーダライタ２０７（第１の通信機器）を介して情報の読み出し又は書き込みが可能に構成される。リーダライタ２０７から送信される信号磁界をアンテナコイル３２で受けて電力を生成するため、第１のカートリッジメモリＣＭ１は無電源で動作する。リーダライタ２０７からの給電・通信周波数はＮＦＣ（Near Field Communication）と同じ１３．５６ＭＨｚである。ＩＣチップ３３に内蔵されるメモリには不揮発性メモリ（ＮＶＭ：Non-Volatile Memory）が使用される。メモリサイズは、例えば、４キロバイト、８キロバイト、１６キロバイトであるが、それ以上の３２キロバイトであってもよい。
【００３９】
ここで、ＬＴＯ規格のカートリッジメモリのメモリサイズは、磁気テープに記録されるデータサイズの増加に比例して大きくなってきている。一例を挙げると、ＬＴＯ−１〜ＬＴＯ−３では４ｋＢであったが、ＬＴＯ−４，ＬＴＯ−５では８ｋＢ、ＬＴＯ−６，ＬＴＯ−７では１６ｋＢとなっている。ＬＴＯの磁気記録データサイズ増がさらに進むと、カートリッジメモリのメモリサイズも１６ｋＢ以上とさらに増えていくことが予想される。
【００４０】
一方、カートリッジメモリのメモリサイズが大きくなると、ＩＣの消費電力も増加する傾向にある。また、メモリへ供給する電源電圧の安定性を高くする必要があることによる電源ブロックのアイドル電流の増加、更には、処理の複雑化に伴うデジタル電力の増加など、メモリサイズ増に付随した電力増も想定される。規格では、一定の磁界強度で動作することが要件として規定されていることから、アンテナから取り出せる電力には制限がある。このため、アンテナから取り出せる電力でカートリッジメモリを駆動してリーダライタとの安定した通信を確保しつつ、メモリサイズの大容量化を図る技術が求められている
【００４１】
そこで、本実施形態のテープカートリッジ１００は、第２のカートリッジメモリＣＭ２をさらに備える。以下、第２のカートリッジメモリＣＭ２について説明する。
【００４２】
（第２のカートリッジメモリ）
図４は、第２のカートリッジメモリＣＭ２の構成を示す概略平面図である。本実施形態において第２のカートリッジメモリＣＭ２は、第１のカートリッジメモリＣＭ１と同様に、支持基板４１と、アンテナコイル４２と、ＩＣチップ４３とを含むＲＦＩＤタグ（非接触通信媒体）で構成される。
【００４３】
支持基板４１は、第１のカートリッジメモリＣＭ１の支持基板３１と同様に構成される。支持基板４１は、支持基板３１と同様の形状、大きさに形成されるが、勿論これに限られない。
【００４４】
アンテナコイル４２は、図５に示すように、専用の読み取り装置あるいはスマートホンなどの携帯情報端末等で構成された通信機器３００（第２の通信機器）と通信可能に構成される。第２のカートリッジメモリＣＭ２は、通信機器３００を介して情報の読み出しが可能に構成される。これにより、テープカートリッジ１００をドライブ装置２００へセットすることなく、通信機器３００を介してＩＣチップ４３に格納されたデータを読み出すことができる。
通信方式は特に限定されず、第１のカートリッジメモリＣＭ１と同様な通信方式でもよいし、他の通信方式であってもよい。他の通信方式としては、「Wi-Fi（登録商標）」、「Zigbee（登録商標）」、「Bluetooth（登録商標）」、「Bluetooth Low Energy」、「ANT（登録商標）」、「ANT＋（登録商標）」、「EnOcean(登録商標)」などの数百ＭＨｚ（メガヘルツ）から数ＧＨｚ（ギガヘルツ）帯を利用する通信方式を例示することができる。
【００４５】
ＩＣチップ４３は、第１のカートリッジメモリＣＭ１のＩＣチップ３３と同様に、電圧生成部、メモリ部、制御部などを内蔵する。メモリ部は、テープカートリッジ１００に関連する付加情報（第２の情報）を格納することが可能に構成される。
【００４６】
付加情報としては、テープカートリッジ１００のインデックスデータ、管理台帳データ、使用履歴などのヘルスデータ、磁気テープ１２又はテープカートリッジ１００に関する画像、ユーザ情報など、ユーザが任意に設定することが可能な情報（あるいはデータ）を含む。
【００４７】
第２のカートリッジメモリＣＭ２は、上記付加情報のみが格納される領域を有するのみに限られず、ユーザが自由に利用できないメモリ領域を備えていてもよい。この場合、ユーザが自由に利用できないメモリ領域には、第１のカートリッジメモリＣＭ１に格納される管理情報と同一又はこれに付随する情報が格納されてもよい。
【００４８】
管理台帳データとしては、例えば、ＪＩＳＺ６０１９に準拠するデータであって、テープカートリッジ１００を利用するアーカイブシステムに登録される管理台帳データのうち、当該テープカートリッジ１００に関する情報の少なくとも一部が挙げられる。
磁気テープ１２又はテープカートリッジ１００に関する画像としては、サムネイル画像や動画などを含む。画像は、プロモーション用でもよいし、インデックスデータやヘルスデータに関連する画像でもよいし、ユーザが任意に選択あるいは設定した適宜の画像であってもよい。
【００４９】
第２のカートリッジメモリＣＭ２は、典型的には、第１のカートリッジメモリＣＭ１よりも大きなメモリ容量を有する。これにより、画像などの比較的データ量の多い情報をも第２のカートリッジメモリＣＭ２に格納することができる。また、第２のカートリッジメモリＣＭ２には、第１のカートリッジメモリＣＭ１に格納される管理情報も格納されてもよい。この場合、第２のカートリッジメモリＣＭ２は、第１のカートリッジメモリＣＭ１のバックアップメモリとして機能させることができるため、テープカートリッジ１００の信頼性を高めることができる。
【００５０】
第２のカートリッジメモリＣＭ２は、通信機器３００に対しては読み出し専用のメモリとして構成される。これにより、第２のカートリッジメモリＣＭ２に記録された情報（例えば管理台帳データ）が不用意に、あるいは意図して書き換えられることを防ぎ、第１のカートリッジメモリＣＭ１に記録された内容との間に不整合が生じることをなくすことができる。
【００５１】
第２のカートリッジメモリＣＭ２は、アンテナコイル４２に代えて又はこれに加えて、通信機器３００と接続可能なインタフェース部４４をさらに有してもよい。インタフェース部４４は、支持基板４１に搭載される。インタフェース部４４は、例えば、ＵＳＢ（Universal Serial Bus）端子等の電子接点を含む外部接続端子で構成されてもよい。この場合、カートリッジケース１１（下シェル１１ｂ）の適宜の位置に、インタフェース部４４を外部へ露出させる開口が形成され、当該開口を介して通信機器３００と連絡する接続ケーブルが接続される。
【００５２】
一方、インタフェース部４４は、アンテナコイル４２とは異なる通信方式の通信モジュールで構成されてもよい。通信方式としては、上述したような近距離無線通信技術が適用可能である。この場合、第２のカートリッジメモリＣＭ２は、アンテナコイル４２を介して、第１のカートリッジメモリＣＭ１と同様な通信方式でドライブ装置と通信可能に構成されてもよい。この場合のドライブ装置としては、例えば図６のように構成される。
【００５３】
（ドライブ装置）
図６は、第２のカートリッジメモリＣＭ２と通信可能なリーダライタを備えたドライブ装置４００の概略構成図である。同図において、図２と対応する部分については同一の符号を付し、その詳細な説明は省略する。
【００５４】
ドライブ装置４００は、第１のカートリッジメモリＣＭ１と通信可能な第１のリーダライタ２０７（第１の通信部）と、第２のカートリッジメモリＣＭ２と通信可能な第２のリーダライタ２０９（第２の通信部）とを有する。第２のリーダライタ２０９は、ドライブ装置４００に装填されたテープカートリッジ１００における第２のカートリッジメモリＣＭ２の収容位置の近傍に配置される。第２のリーダライタ２０９は、制御装置２０８からの指令に応じて、第２のカートリッジメモリＣＭ２から所定の情報を読み出し、あるいは、第２のカートリッジメモリＣＭ２に対して所定の情報を記録することが可能に構成される。第２のリーダライタ２０９と第２のカートリッジメモリＣＭ２との間の通信方式としては、例えば、ＩＳＯ１４４４３方式が採用される。
【００５５】
本実施形態において、第２のカートリッジメモリＣＭ２に対する情報の書き込みは、ドライブ装置４００を介して行われる。これにより、ドライブ装置４００によってテープカートリッジ１００が一元的に管理される。
【００５６】
ドライブ装置４００から第２のカートリッジメモリＣＭ２へ書き込まれる情報は、ドライブ装置４００に接続された電子機器５００から提供される。電子機器５００としては、ユーザが個人的に使用するパーソナルコンピュータ、ビデオカメラ、スマートホン等の端末機器でもよいし、専用の機器であってもよい。
【００５７】
図７は、第２のカートリッジメモリＣＭ２に対するデータの読み出し及び書き込み手順の一例を示すシーケンス図である。
【００５８】
同図に示すように、テープカートリッジ１００がドライブ装置４００へ装填されると、第２のカートリッジメモリＣＭ２と第２のリーダライタ２０９との間で通信が開始される（ステップ１０１）。このとき、典型的には、第１のカートリッジメモリＣＭ１と第１のリーダライタ２０７との間において、第２のカートリッジメモリＣＭ２とは独立して、情報の読み出し又は書き込みが開始される。
【００５９】
第２のカートリッジメモリＣＭ２と第２のリーダライタ２０９との間にリンクが確立すると、ドライブ装置４００は、当該ドライブ装置が情報の書き込みが許可された正規のドライブ装置であることを示す識別情報を第２のカートリッジメモリＣＭ２へ送信する（ステップ１０２）。第２のカートリッジメモリＣＭ２は、上記識別情報を受信することで、ドライブ装置４００が正規のドライブ装置であることを認識し、読み出し又は書き込みが可能な状態になったことをドライブ装置４００へ返答する（ステップ１０３）。
【００６０】
ドライブ装置４００は、第２のカートリッジメモリＣＭ２から情報を読み出すときは、第２のカートリッジメモリＣＭ２へ情報の読み出し指令を送信し、第２のカートリッジメモリＣＭ２から所定の情報を読み出す（ステップ１０４）。第２のカートリッジメモリＣＭ２から読み出された情報は、ドライブ装置４００の図示しない記憶部に記憶されるとともに、必要に応じて図示しない表示部に（あるいはドライブ装置４００に接続された表示装置に）情報が表示される。
【００６１】
一方、ドライブ装置４００は、第２のカートリッジメモリＣＭ２へ情報を書き込むときは、電子機器５００に対して、第２のカートリッジメモリＣＭ２へ書き込むべきデータの送信を要求する（ステップ１０５）。電子機器５００からの応答を受けた後、ドライブ装置４００は、電子機器５００から送信されたデータを第２のカートリッジメモリＣＭ２へ書き込む処理を実行する（ステップ１０６）。
【００６２】
ドライブ装置４００は、第１のリーダライタ２０７を介して第１のカートリッジメモリＣＭ１へ書き込まれる情報と、第２のリーダライタ２０９を介して第２のカートリッジメモリＣＭ２へ書き込まれる情報との間に矛盾や不整合が生じていないかどうかを点検する機能を備えていてもよい。これにより、第１のカートリッジメモリＣＭ１と第２のカートリッジメモリＣＭ２とにそれぞれ格納される情報に不一致が生じることを防ぐことができるので、テープカートリッジ１００の信頼性が高められる。
【００６３】
（テープカートリッジの作用）
本実施形態のテープカートリッジ１００によれば、第１のカートリッジメモリＣＭ１と第２のカートリッジメモリＣＭ２とを備えているため、既存のドライブ装置（図２に示すドライブ装置２００）との互換性を有しながら、カートリッジメモリの総容量を増加させることができる。しかも、第１のカートリッジメモリＣＭ１のメモリサイズを大型化する必要もないため、リーダライタ２０７からの限られた磁界強度下においても第１のカートリッジメモリＣＭ１とリーダライタ２０７との安定した通信が確保される。
【００６４】
第２のカートリッジメモリＣＭ２は、ドライブ装置２００（第１の通信機器）とは異なる通信機器３００（第２の通信機器）によって情報の読み出しが可能に構成されているため、テープカートリッジ１００をドライブ装置２００，４００へ装填せずとも、テープカートリッジ１００に関連する情報を読み出すことができる。
【００６５】
本実施形態によれば、第２のカートリッジメモリＣＭ２を備えているため、この第２のカートリッジメモリＣＭ２にＬＴＦＳ（Linear Tape File System）を格納することができる。通常、カートリッジメモリには、メモリサイズの制限から、磁気テープ１２に格納された最新のファイル情報へアクセスするための位置情報（アドレス）しか格納されない。そこで、第２のカートリッジメモリＣＭ２に上記位置情報だけでなくファイル情報も格納することによって、情報の読み出し速度の高速化を図ることができる。このような作用効果は、第２のカートリッジメモリＣＭ２と通信可能な第２のリーダライタ２０９を有するドライブ装置４００を用いることで実現することができる。
【００６６】
さらに、第２のカートリッジメモリＣＭ２を追加した結果、メモリの総容量が増加するため、テープカートリッジ１００の走行履歴やヘルスチェックデータ等の過去の付加情報も同時に格納しておくことができる。これにより、テープカートリッジ１００の詳細な履歴を保存可能となり、システムの信頼性を向上させることができる。
【００６７】
さらに、第２のカートリッジメモリＣＭ２を無線ＬＡＮ（Local Area Network）に接続することで、内蔵されたデータをＮＡＳ（Network-Attached Storage）として用いることが可能となる。
【００６８】
以上、本技術の実施形態について説明したが、本技術は上述の実施形態にのみ限定されるものではなく、種々変更を加え得ることは勿論である。
【００６９】
例えば以上の実施形態では、ＬＴＯ規格の磁気テープカートリッジに搭載されるカートリッジメモリを例に挙げて説明したが、これに限られず、ＬＴＯ以外の他の規格の磁気テープカートリッジ用のカートリッジメモリにも適用可能である。
【００７０】
また本技術は、磁気テープ以外の他の情報記録媒体、例えば、光ディスクや光磁気ディスク、半導体メモリ、可搬型ハードディスクドライブ用のカートリッジメモリにも適用可能である。
【００７１】
さらに以上の実施形態では、記録媒体カートリッジが２つのカートリッジメモリを有する場合を例に挙げて説明したが、これに限られず、カートリッジメモリは３つ以上であってもよい。
【００７２】
なお、本技術は以下のような構成もとることができる。
（１）  情報記録媒体と、
前記情報記録媒体に関連する第１の情報を格納することが可能であり、ドライブ装置に設置された第１の通信機器を介して前記第１の情報の読み出し及び書き込みが可能な非接触通信媒体で構成された第１のカートリッジメモリと、
前記情報記録媒体に関連する第２の情報を格納することが可能であり、第２の通信機器を介して前記第２の情報の読み出しが可能に構成された第２のカートリッジメモリと
を具備する記録媒体カートリッジ。
（２）上記（１）に記載の記録媒体カートリッジであって、
前記第２のカートリッジメモリは、前記ドライブ装置を介して前記第２の情報の書き込みが可能に構成される
記録媒体カートリッジ。
（３）上記（１）又は（２）に記載の記録媒体カートリッジであって、
前記第２のカートリッジメモリは、前記第１のカートリッジメモリのメモリ容量よりも大きなメモリ容量を有する
記録媒体カートリッジ。
（４）上記（１）〜（３）のいずれか１つに記載の記録媒体カートリッジであって、
前記第１の情報は、前記情報記録媒体の管理情報を含み、
前記第２の情報は、前記情報記録媒体に関連する画像情報を含む
記録媒体カートリッジ。
（５）上記（１）〜（４）のいずれか１つに記載の記録媒体カートリッジであって、
前記第２のカートリッジメモリは、非接触通信媒体である
記録媒体カートリッジ。
（６）上記（１）〜（４）のいずれか１つに記載の記録媒体カートリッジであって、
前記第２のカートリッジメモリは、外部接続端子を有する
記録媒体カートリッジ。
（７）上記（１）〜（６）のいずれか１つに記載の記録媒体カートリッジであって、
前記情報記録媒体は、磁気記録媒体である
記録媒体カートリッジ。
（８）上記（７）に記載の記録媒体カートリッジであって、
前記情報記録媒体は、テープ状記録媒体である
記録媒体カートリッジ。
（９）  記録媒体カートリッジに収容された情報記録媒体に対してデータの記録又は再生を行うことが可能に構成されたヘッド部と、
前記記録媒体カートリッジに収容された第１のカートリッジメモリと通信可能に構成され、前記情報記録媒体に関連する第１の情報の読み出し又は書き込みが可能な第１の通信部と、
前記記録媒体カートリッジに収容された第２のカートリッジメモリと通信可能に構成され、前記情報記録媒体に関連する第２の情報の読み出し又は書き込みが可能な第２の通信部と
を具備するドライブ装置。
【符号の説明】
【００７３】
１１…カートリッジケース
１２…磁気テープ
１００…テープカートリッジ
２００，４００…テープドライブ装置
２０７…第１のリーダライタ
２０９…第２のリーダライタ
３００…通信機器
５００…電子機器
ＣＭ１…第１のカートリッジメモリ
ＣＭ２…第２のカートリッジメモリ
【図１】
2019216015.tif 000003
【図２】
2019216015.tif 000004
【図３】
2019216015.tif 000005
【図４】
2019216015.tif 000006
【図５】
2019216015.tif 000007
【図６】
2019216015.tif 000008
【図７】
2019216015.tif 000009
【国際調査報告】
2019216015.tif 000010
2019216015.tif 000011
2019216015.tif 000012
2019216015.tif 000013